(57)【特許請求の範囲】
【請求項１】
水底の地盤に配置された筒状構造物の内部にケーブルを引込むケーブル引込構造であって、
前記筒状構造物は側面に孔を有し、
前記筒状構造物の側面に下部を略中心として鉛直面内で回転可能に取付けられた鞘管が、水底に向かって傾倒し、
ケーブルが、傾倒した前記鞘管を介して前記孔から前記筒状構造物の内部に引き込まれ、
前記鞘管は剛性を有し、途中に可とう部が設けられ、傾倒した前記鞘管の可とう部が前記筒状構造物から離れて前記筒状構造物の外に位置することを特徴とするケーブル引込構造。
【請求項２】
前記鞘管の下端部が、前記鞘管が水底に向かって傾倒することで、前記孔から前記筒状構造物の内部に挿入されたことを特徴とする請求項１記載のケーブル引込構造。
【請求項３】
前記鞘管の下端部が円弧状に曲げられたことを特徴とする請求項２記載のケーブル引込構造。
【請求項４】
前記筒状構造物の側面に鉛直方向のガイドが設けられ、
前記鞘管が、前記ガイドに沿ってスライド可能なスライダに取付けられたことを特徴とする請求項１から請求項３のいずれかに記載のケーブル引込構造。
【請求項５】
前記ガイドはスリットを有する管体であり、
前記スライダはＨ形鋼であることを特徴とする請求項４記載のケーブル引込構造。
【請求項６】
前記筒状構造物の内部に、前記孔と連続するように内管が設けられたことを特徴とする請求項１から請求項５のいずれかに記載のケーブル引込構造。
【請求項７】
前記筒状構造物は、鉛直方向に沿って複数の前記孔を有することを特徴とする請求項１から請求項６のいずれかに記載のケーブル引込構造。
【請求項８】
前記筒状構造物は、前記地盤に打設された鋼管杭であり、
前記ケーブルが通された前記孔の位置は、水底からの最大洗掘深さより上であることを特徴とする請求項１から請求項７のいずれかに記載のケーブル引込構造。
【請求項９】
前記鞘管が洗掘防止材で被覆されることを特徴とする請求項１から請求項８のいずれかに記載のケーブル引込構造。
【請求項１０】
水底の地盤に配置された筒状構造物の内部にケーブルを引込むケーブル引込方法であって、
前記筒状構造物の側面に取付けた鞘管を、下部を略中心として鉛直面内で回転させ、水底に向かって傾倒させる工程と、
ケーブルを、傾倒した前記鞘管を介して前記筒状構造物の側面の孔から前記筒状構造物の内部に引込む工程と、
を有し、
前記鞘管は剛性を有し、途中に可とう部が設けられ、
前記鞘管を傾倒させた時、前記可とう部が前記筒状構造物から離れて前記筒状構造物の外に位置することを特徴とするケーブル引込方法。
【請求項１１】
前記筒状構造物の側面に鉛直方向のガイドが設けられ、
前記鞘管を取付けたスライダを前記ガイドに沿ってスライドさせることで、前記鞘管が前記筒状構造物に取付けられることを特徴とする請求項１０記載のケーブル引込方法。
【請求項１２】
前記ケーブルを前記筒状構造物の内部に引込む際、
前記筒状構造物の内部から前記鞘管を通って外に出たロープに前記ケーブルを接続し、前記ロープを引っ張って前記ケーブルを前記筒状構造物の内部に引き込むことを特徴とする請求項１０または請求項１１記載のケーブル引込方法。
【請求項１３】
前記ロープの一部を予め前記鞘管内部に挿入し、その両端部を前記鞘管内部に仮固定しておき、ケーブル引込作業時に前記ロープの一方の端部を前記鞘管の外側に延長し、前記ケーブルの引込に用いることを特徴とする請求項１２記載のケーブル引込方法。
【請求項１４】
水底の地盤に配置する筒状構造物に取付ける鞘管ユニットであって、
鞘管と、前記筒状構造物の側面に設けた鉛直方向のガイドに沿ってスライド可能なスライダと、
を有し、
前記鞘管が、下部を略中心として鉛直面内で回転可能に前記スライダに取付けられ、
前記鞘管は剛性を有し、途中に可とう部が設けられ、
前記可とう部は、前記鞘管の上部に設けられることを特徴とする鞘管ユニット。
【発明の詳細な説明】
【技術分野】
【０００１】
本発明は、ケーブルの引込みを行うためのケーブル引込構造等に関する。
【背景技術】
【０００２】
洋上風力発電設備では、海洋の地盤に打設した鋼管杭等の上部にトランジションピースを取り付け、その上に風車等の風力発電設備を設ける。風力発電設備には送電・通信のためのケーブルが接続されるが、陸から離れた場所では海底ケーブルが用いられるので、このケーブルを引込んで上方の風力発電設備に接続する必要があり、従来はケーブルを鋼管杭等に沿わせ、海底から風力発電設備までケーブルを延伸していた。
【０００３】
海底ケーブルの損傷原因は船舶のアンカリング、漁業時の漁具による引掛りが主であるため、ケーブルは通常海底に埋設されるか被覆される。しかし、洋上風力発電設備の鋼管杭の周辺では、海域に発生する波（波浪、うねり）、長周期波（高潮、津波など）、および流れ（海流、潮流）によって洗掘現象が発生し、これによりケーブルがフリースパン化する懸念がある。
【０００４】
ケーブルがフリースパン化すると波により繰り返し変形することとなり、ケーブルの摩耗損傷、疲労断線が生じ洋上風力発電の機能を損なうことになる。そのため、特許文献１では、海底面下に構築されたトンネル内にケーブルを配置することが記載されている。
【先行技術文献】
【特許文献】
【０００５】
【特許文献１】特開2014-15935号公報
【発明の概要】
【発明が解決しようとする課題】
【０００６】
しかしながら、特許文献１の方法は大掛かりであり施工も大変でコストもかかり、より簡易な構造でケーブルのフリースパン化を防止できる方法が求められている。
【０００７】
本発明は、洗掘発生時のケーブルのフリースパン化を防止できる簡易なケーブル引込構造等を提供することを目的とする。
【課題を解決するための手段】
【０００８】
前述した課題を解決するための第１の発明は、水底の地盤に配置された筒状構造物の内部にケーブルを引込むケーブル引込構造であって、前記筒状構造物は側面に孔を有し、前記筒状構造物の側面に下部を略中心として鉛直面内で回転可能に取付けられた鞘管が、水底に向かって傾倒し、ケーブルが、傾倒した前記鞘管を介して前記孔から前記筒状構造物の内部に引き込まれ、前記鞘管は剛性を有し、途中に可とう部が設けられ、傾倒した前記鞘管の可とう部が前記筒状構造物から離れて前記筒状構造物の外に位置することを特徴とするケーブル引込構造である。
【０００９】
本発明では、筒状構造物の側面に取付けた鞘管を傾倒させ、この鞘管を通してケーブルが筒状構造物内に引き込まれるので、筒状構造物の周辺では鞘管によってケーブルが保持されることとなり、簡易な構造にて洗掘発生時のケーブルのフリースパン化を防止でき、また低コストで安全に施工可能である。
【００１０】
前記鞘管の下端部が、前記鞘管が水底に向かって傾倒することで、前記孔から前記筒状構造物の内部に挿入されることが望ましい。また、前記鞘管の下端部が円弧状に曲げられることが望ましい。
鞘管の下端部を筒状構造物の孔から筒状構造物の内部に挿入することでケーブルを外部に露出させることなく好適に保護でき、また鞘管の下端部を円弧状とすることで、筒状構造物の孔が小さくても鞘管の回転時に鞘管の下端部を好適に挿入できるようになる。
【００１１】
前記筒状構造物の側面に鉛直方向のガイドが設けられ、前記鞘管が、前記ガイドに沿ってスライド可能なスライダに取付けられることが望ましい。例えば、前記ガイドはスリットを有する管体であり、前記スライダはＨ形鋼である。
これにより、鞘管を筒状構造物に後付けできるようになり、筒状構造物の施工時の妨げとならない。また、スリット付の管体やＨ形鋼を用いることで、簡易かつ低コストな構成とできる。
【００１２】
前記筒状構造物の内部に、前記孔と連続するように内管が設けられることが望ましい。
内管により、筒状構造物の内部でケーブルを保護することが可能である。
【００１３】
前記筒状構造物は、鉛直方向に沿って複数の前記孔を有することが望ましい。
これにより、筒状構造物の高さ位置の誤差に応じて適切な孔を選択してケーブル引込に用いることができる。
【００１４】
第１の発明では、前記鞘管が可とう部を有することにより、鞘管の一部を曲げることができ、ケーブルの埋設等が容易になる。
【００１５】
また、前記筒状構造物は、前記地盤に打設された鋼管杭であり、前記ケーブルが通された前記孔の位置は、水底からの最大洗掘深さより上であることが望ましい。
これにより、洋上風力発電設備の基礎等に用いる鋼管杭に対して本発明を好適に適用でき、洗掘の影響がケーブルに及ぶのを容易かつ低コストで防止できる。
【００１６】
また、前記鞘管が洗掘防止材で被覆されることが望ましい。
洗掘防止材により地盤の洗掘を防ぐとともに、鞘管を好適に保護できる。
【００１７】
第２の発明は、水底の地盤に配置された筒状構造物の内部にケーブルを引込むケーブル引込方法であって、前記筒状構造物の側面に取付けた鞘管を、下部を略中心として鉛直面内で回転させ、水底に向かって傾倒させる工程と、ケーブルを、傾倒した前記鞘管を介して前記筒状構造物の側面の孔から前記筒状構造物の内部に引込む工程と、を有し、前記鞘管は剛性を有し、途中に可とう部が設けられ、前記鞘管を傾倒させた時、前記可とう部が前記筒状構造物から離れて前記筒状構造物の外に位置することを特徴とするケーブル引込方法である。
また、前記筒状構造物の側面に鉛直方向のガイドが設けられ、前記鞘管を取付けたスライダを前記ガイドに沿ってスライドさせることで、前記鞘管が前記筒状構造物に取付けられることが望ましい。
【００１８】
さらに、前記ケーブルを前記筒状構造物の内部に引込む際、前記筒状構造物の内部から前記鞘管を通って外に出たロープに前記ケーブルを接続し、前記ロープを引っ張って前記ケーブルを前記筒状構造物の内部に引き込むことが望ましい。例えば、前記ロープの一部を予め前記鞘管内部に挿入し、その両端部を前記鞘管内部に仮固定しておき、ケーブル引込作業時に前記ロープの一方の端部を前記鞘管の外側に延長し、前記ケーブルの引込に用いる。
これにより、容易にケーブルを引込むことができる。
【００１９】
第３の発明は、水底の地盤に配置する筒状構造物に取付ける鞘管ユニットであって、鞘管と、前記筒状構造物の側面に設けた鉛直方向のガイドに沿ってスライド可能なスライダと、を有し、前記鞘管が、下部を略中心として鉛直面内で回転可能に前記スライダに取付けられ、前記鞘管は剛性を有し、途中に可とう部が設けられ、前記可とう部は、前記鞘管の上部に設けられることを特徴とする鞘管ユニットである。
【発明の効果】
【００２０】
本発明により、洗掘発生時のケーブルのフリースパン化を防止できる簡易なケーブル引込構造等を提供することができる。
【図面の簡単な説明】
【００２１】
【図１】洋上風力発電設備１を示す図
【図２】第１の実施形態のケーブル引込方法を説明する図
【図３】鞘管２０の取付けについて示す図
【図４】第１の実施形態のケーブル引込方法を説明する図
【図５】内管１１３、孔１１１、長孔１１１ａを示す図
【図６】鞘管２０の取付けの例を示す図
【図７】第２の実施形態のケーブル引込方法を説明する図
【図８】第２の実施形態のケーブル引込方法を説明する図
【図９】第２の実施形態のケーブル引込方法を説明する図
【図１０】アスファルトマット１０６を示す図
【図１１】別のケーブル引込方法の例を説明する図
【図１２】本発明の別の例を説明する図
【図１３】本発明の別の例を説明する図
【図１４】本発明の別の例を説明する図
【発明を実施するための形態】
【００２２】
以下、図面に基づいて本発明の好適な実施形態について詳細に説明する。
【００２３】
[第１の実施形態]
（１．洋上風力発電設備）
図１は、本発明の第１の実施形態に係るケーブル引込構造２を有する洋上風力発電設備１を示す図である。図１（ａ）は洋上風力発電設備１の概略構成を示す図であり、図１（ｂ）は図１（ａ）の線Ａ−Ａに沿った水平方向の断面を見たものである。
【００２４】
図１に示すように、洋上風力発電設備１は、鋼管杭１１、トランジションピース１２、および風力発電設備１３を有する。
【００２５】
鋼管杭１１は水底の地盤１００に配置される筒状構造物であり、地盤１００に打設されて下部が地盤１００内に埋入される。鋼管杭１１の周囲の地盤１００には洗掘防止材として砕石１０１が配置され、さらにその上が埋戻材である砂１０２で埋め戻される。
【００２６】
トランジションピース１２は鋼管杭１１の上部に外嵌される筒状部材であり、これにより鋼管杭１１の傾斜等が修正され鉛直性が確保される。鋼管杭１１の上部側面とトランジションピース１２の内面との間にはグラウト等（不図示）が充填される。ただし、場合によってはトランジションピース１２が省略される。
【００２７】
風力発電設備１３はトランジションピース１２の上部で水面上に設けられる。風力発電設備１３は、風車や発電のための各種設備を備える。風力発電設備１３には送電・通信のためのケーブル２２が接続される。
【００２８】
本実施形態のケーブル引込構造２は、鞘管２０を介してケーブル２２を鋼管杭１１の内部に引込むものである。ケーブル２２は鋼管杭１１の内部を通って上方の風力発電設備１３に接続される。
【００２９】
鞘管２０は金属等により形成される管体であり、十分な剛性を有する。鞘管２０は、下部を略中心として鉛直面内で回転可能に鋼管杭１１の側面に取付けられており、ケーブル引込時に水底に向けて傾倒させたものであるが、これについては後述する。図１（ｂ）に示すように、本実施形態では２つの鞘管２０を用いて同様の構成により２本のケーブル２２を鋼管杭１１内に引き込んでいるが、以降は１つの鞘管２０について説明するものとする。
【００３０】
（２．ケーブル引込方法）
次に、図２等を参照し、本実施形態に係るケーブル引込方法を洋上風力発電設備１の構築手順と併せて説明する。
【００３１】
洋上風力発電設備１を構築する際、本実施形態では、まず図２（ａ）に示すように水底の地盤１００を掘削し、図２（ｂ）に示すように、鋼管杭１１を地盤１００の掘削部に打設する。その後、鋼管杭１１に沿って鞘管２０を取付ける。
【００３２】
図３は鞘管２０の取付けについて示す図である。図３（ａ）は鞘管２０の取付方法を示す図である。図３（ｂ）〜図３（ｄ）は鞘管２０の取付状態を示す図であり、図３（ｂ）は鞘管２０を正面から見た図、図３（ｃ）は鞘管２０を側方から見た図、図３（ｄ）は図３（ｂ）の線Ｂ−Ｂに沿った水平方向の断面を見たものである。
【００３３】
図３（ａ）に示すように、鋼管杭１１の側面には、鞘管２０の取付用ガイドとして鉛直方向のガイド管１１０が左右一対設けられる。ガイド管１１０はスリット付きの管体である。スリット１１０ａはガイド管１１０の頂端から鉛直方向に沿って設けられ、ガイド管１１０の底端から所定高さの位置まで達する。
【００３４】
一方、鞘管２０は左右一対のＨ形鋼２１（スライダ）に取付けて一体化され、これにより鞘管ユニットが構成される。
【００３５】
すなわち、Ｈ形鋼２１の一方のフランジに、両Ｈ形鋼２１間を架け渡すように桁材２１１、２１２（図３（ｃ）参照）が設けられる。桁材２１１、２１２はそれぞれ、Ｈ形鋼２１の上部と下部に設けられる。鞘管２０の上部と下部にも桁材２０１、２０２が設けられており、鞘管２０とＨ形鋼２１の桁材は上部、下部とも対応する位置にある。Ｈ形鋼２１の下部の桁材２１２と、鞘管２０の下部の桁材２０２とはヒンジピン２２０により回転可能に接続される。
【００３６】
鞘管２０の取付時には、この鞘管２０とＨ形鋼２１からなる鞘管ユニットを図３（ａ）の矢印に示すように下降させ、一対のＨ形鋼２１をガイド管１１０のそれぞれに挿入して下方へとスライドさせる。この時、ガイド管１１０のスリット１１０ａにＨ形鋼２１のウェブを通し、Ｈ形鋼２１の他方のフランジ（桁材２１１、２１２を設けた方ではないフランジ）をガイド管１１０の内部に挿入する。
【００３７】
Ｈ形鋼２１を下方へとスライドさせるとＨ形鋼２１の底端がスリット１１０ａの底端に当接し、これにより鞘管２０の高さ位置が定まる。こうして図３（ｂ）〜（ｄ）に示すように鞘管２０が鋼管杭１１に沿って鉛直方向に取付けられる。
【００３８】
なお、鞘管２０の上部では途中に可とう部２０６が設けられ、鞘管２０の上端部は桁材２０１に取付けたワイヤ２３等によって上方から支持される。
【００３９】
また鞘管２０の下端部は鋼管杭１１側に向かって円弧状に曲げられており、その先端近傍では鋼管杭１１に孔１１１が設けられる。孔１１１の周囲はリング状の補強材１１２で補強される。孔１１１から鋼管杭１１内に土砂等が流入するのを防ぐため、シールブラシ等の流入防止材を孔１１１に取付けてもよい。
【００４０】
鋼管杭１１の打設時（図２（ｂ）参照）、孔１１１の位置はそれ程深くある必要はなく、図１（ａ）に示す水底（砂１０２の上面）からの最大洗掘深さより上方且つトランジションピース１２より下に位置すればよい。
【００４１】
図２の説明に戻る。本実施形態では、図２（ｂ）のように鋼管杭１１を打設した後、ワイヤ２３を巻き出し、鞘管２０の下部近傍にあるヒンジピン２２０（図３（ｃ）参照）を中心として鞘管２０を鉛直面内で回転させ、水底に向けて傾倒させる。これにより、図２（ｃ）に示すように鞘管２０が地盤１００の掘削部に沿って配置される。なお、ワイヤ２３は鞘管２０の回転後取外して回収している。
【００４２】
続いて図２（ｄ）に示すように地盤１００の掘削部に洗掘防止材である砕石１０１を配置してその上を砂１０２で埋め戻す。鞘管２０は砕石１０１等で被覆される。
【００４３】
図４（ａ）はこの状態を示す図であり、本実施形態では、鞘管２０を回転させ水底に向けて傾倒させると円弧状の下端部が孔１１１を通って鋼管杭１１の内部に挿入される。円弧の曲率を適切に定めることにより、孔１１１が小さくても鞘管２０の回転時に下端部を好適に挿入できるようになる。
【００４４】
また、ケーブル２２の先端が、鋼管杭１１の内部から鞘管２０を通って外に出たロープ３０に取付けられる。このロープ３０を鋼管杭１１側から引っ張ると図２（ｅ）に示すようにケーブル２２が鞘管２０を通って孔１１１から鋼管杭１１の内部に引き込まれ、上方に引き上げられる。またトランジションピース１２および風力発電設備１３の設置が行われ、ケーブル２２が風力発電設備１３に接続される。なお、ロープ３０の一部を予め鞘管２０内部に挿入し、その両端部を鞘管２０内部に仮固定しておき、ケーブル引込作業時にロープ３０の一方の端部を鞘管２０の外側に延長してケーブル２２の引込に用いることにより、ケーブル２２の引込作業を容易にすることもできる。
【００４５】
次に、図２（ｆ）に示すように鞘管２０外のケーブル２２を水底面下に埋設する。ここでは、ジェット等を用いたケーブル埋設機（不図示）によって、図４（ｂ）に示すように鞘管２０外のケーブル２２を水底面下に埋設する。この時、鞘管２０の可とう部２０６が屈曲し、ケーブル２２が容易に埋設できるようになっている。以上のようにして、鞘管２０を介してケーブル２２を鋼管杭１１の内部に引込むケーブル引込構造２が形成される。
【００４６】
以上説明したように、本実施形態によれば、鋼管杭１１の側面に取付けた鞘管２０を傾倒させ、この鞘管２０を通してケーブル２２が鋼管杭１１内に引き込まれるので、鋼管杭１１の周辺では鞘管２０によってケーブル２２が保持されることとなり、簡易な構造にて洗掘発生時のケーブル２２のフリースパン化を防止でき、また低コストで安全に施工可能である。
【００４７】
鞘管２０の回転時には、鞘管２０の下端部が鋼管杭１１の孔１１１から鋼管杭１１の内部に挿入されるので、ケーブル２２を外部に露出させることなく好適に保護できる。また鞘管２０の下端部を円弧状とすることで、鋼管杭１１の孔１１１が小さくても、鞘管２０の回転時に鞘管２０の下端部を好適に挿入できる。
【００４８】
さらに、鋼管杭１１の側面にスリット付きのガイド管１１０が設けられ、鞘管２０はＨ形鋼２１に取付けてユニット化されるので、Ｈ形鋼２１をガイド管１１０に沿ってスライドさせて鞘管２０を鋼管杭１１に後付けできるようになる。これにより鞘管２０が鋼管杭１１の打設時の妨げとなることがなく、且つ簡易かつ低コストな構成となる。
【００４９】
また、ケーブル２２は前記したようにロープ３０を用いて鋼管杭１１内に容易に引込むことができる。さらに、鞘管２０は可とう部２０６を有するので、鞘管２０の一部を曲げて水底面下にケーブル２２を埋設するのが容易になる。
【００５０】
しかしながら、本発明はこれに限ることはない。例えば図５（ａ）に示すように、鋼管杭１１内に、孔１１１と連続して上方に延びるようにＪ字状の内管１１３を設けてもよい。この内管１１３によって、海水等が存在する鋼管杭１１内でケーブル２２を保護することができる。
【００５１】
また、図５（ｂ）に示すように、孔１１１は鉛直方向に沿って複数設けてもよい。これにより、鋼管杭１１の打設深さ、すなわち鋼管杭１１の高さ位置に誤差が合っても、適当な孔１１１を選択してケーブル引込に用いることができる。目的の孔１１１に鞘管２０を挿入するため、Ｈ形鋼２１の桁材２１２（図３（ｃ）参照）から下方の部分の長さを調節し、Ｈ形鋼２１の底端がガイド管１１０のスリット底端に当接した時の鞘管２０の高さ位置を調整することが可能である。さらに、図５（ｃ）に示すように鉛直方向の長孔１１１ａを設けてもよい。
【００５２】
また、本実施形態では鞘管２０を鋼管杭１１に後付けしたが、予め鞘管２０を鋼管杭１１に取付けてもよい。図６はこの例を示したものであり、鞘管２０の下部に設けたバー２０７と、鋼管杭１１に設けたブラケット１１４とが、ピン１１５により回転可能に接続される。
【００５３】
次に、本発明の第２の実施形態について説明する。第２の実施形態は第１の実施形態と異なる点について主に説明し、同様の点については図等で同じ符号を付すなどして詳細な説明を省略する。
【００５４】
[第２の実施形態]
図７等を参照し、本発明の第２の実施形態に係るケーブル引込方法を洋上風力発電設備１の構築手順と併せて説明する。
【００５５】
図７（ａ）に示すように、本実施形態では地盤１００を掘削せずに鋼管杭１１を地盤１００に打設する。鋼管杭１１の孔１１１は水底面上にある。その後、鋼管杭１１に第１の実施形態と同様に鞘管２０を取付ける。
【００５６】
この後、第１の実施形態と同様にして鞘管２０を回転させて水底に向かって傾倒させ、図７（ｂ）に示すように鞘管２０を水底面上に配置する。図８（ａ）はこの状態を示す図である。本実施形態では、第１の実施形態で説明した鞘管２０の構成に加え、鞘管２０の上部にアンカー２０５が設けられており、このアンカー２０５によって鞘管２０が水底面にしっかりと固定されるようになっている。
【００５７】
なお、アンカー２０５の代わりに、あるいはアンカー２０５と併用して、図８（ｂ）に示すように門状の固定部４０の両端を水底の地盤１００に差し込み、その内側に鞘管２０を固定してもよい。その他、鞘管２０が長スパンの場合などでは、図８（ｃ）に示すように、１対の棒材の各々からトラス構造等にて鞘管２０を支持する支持材５０を設けることも可能である。また、網状の金物などを予め水底面上に敷設し、当該金物に鞘管２０を結びつける等して固定することも可能である。
【００５８】
図７の説明に戻る。水底面上には、図７（ｃ）に示すように砕石１０１およびその上方のフィルタユニット１０３を洗掘防止材として配置する。フィルタユニット１０３は、例えば特開2011-137365号公報に記載されたような、透水性の袋体の内部に砕石等の塊状物を詰めたものを用いることができる。鞘管２０はこれらの洗掘防止材によって被覆される。
【００５９】
その後、第１の実施形態と同様、ロープ等を用いて図７（ｄ）に示すように鞘管２０を介してケーブル２２を鋼管杭１１の内部に引き込み、上方に引き上げる。またトランジションピース１２および風力発電設備１３の設置も行われ、ケーブル２２が風力発電設備１３に接続される。
【００６０】
そして、第１の実施形態と同様、ケーブル埋設機等によって図７（ｅ）に示すように鞘管２０外のケーブル２２を水底面下に埋設する。図９はこの状態を示す図である。この時も、鞘管２０の可とう部２０６が屈曲し、ケーブル２２が容易に埋設できるようになっている。以上のようにして、鞘管２０を介してケーブル２２を鋼管杭１１の内部に引込むケーブル引込構造２ａが形成される。
【００６１】
第２の実施形態でも、簡易な構造にて洗掘発生時のケーブル２２のフリースパン化を防止できるという第１の実施形態と同様の効果が得られる。
【００６２】
なお、本実施形態では洗掘防止材として砕石１０１とフィルタユニット１０３を用いたが、図１０（ａ）のケーブル引込構造２ｂに示すように、洗掘防止材として鋼管杭１１の周囲にアスファルトマット１０６を配置してもよい。この例では、アスファルトマット１０６で鞘管２０を被覆するようにしている。
【００６３】
図１０（ｂ）はこの状態を上から見た図である。アスファルトマット１０６は台形状の平面を有し、側辺がラップするように鋼管杭１１の周囲に複数枚（図の例では６枚）配置される。アスファルトマット１０６の外側端部には孔１０６ａを設け、水底の洗掘等に対してアスファルトマット１０６を追従しやすくしている。また、アスファルトマット１０６の一部は、内側端部が鋼管杭１１に沿って地盤１００に折り込まれるように配置される。
【００６４】
また、図１１（ａ）に示すように、前述の砕石よりも細かい砕石を用いるなどして、鋼管杭１１が打設できる程度に薄い、洗掘防止材によるフィルタ層１０７を形成し、その後図１１（ｂ）に示すように鋼管杭１１を打設して鞘管２０を傾倒させ、図１１（ｃ）に示すように鞘管２０をフィルタユニット１０３で被覆し、前記と同様にケーブル２２を引込んでケーブル引込構造２ｃとすることも可能である。
【００６５】
あるいは、図１２（ａ）に示すように、フィルタ層１０７の代わりに水底面上にフィルタユニット１０３を予め配置しておき、図１１（ｂ）に示すようにフィルタユニット１０３を突き破るようにして鋼管杭１１を打設することも可能である。明らかに突き破る位置のフィルタユニット１０３には、安価な袋体などを用いるとよい。
【００６６】
加えて、図１３（ａ）に示すようにフィルタユニット１０３を水底面上の必要箇所に集中的に配置し、その上に鞘管２０を傾倒させてフィルタユニット１０３により鞘管２０を下から支持することも可能である。この例ではさらに鞘管２０をフィルタユニット１０３で被覆してケーブル引込構造２ｄとしている。鞘管２０の下方のフィルタユニット１０３の代わりに砕石１０１等を使用したり、水底の形状自体を鋼管杭１１に向かって斜め上方に盛り上げる等も可能である。
【００６７】
さらに、図１３（ｂ）に示すように、ケーブル引込用の鋼管杭１１を別途打設し、前記と同様の方法でケーブル引込構造２ａを形成してこの鋼管杭１１内にケーブル２２を引き込んで上部に引き上げ、海上にて風力発電設備１３にケーブル２２を接続することも可能である。
【００６８】
また、以上の実施形態の他、図１４（ａ）に模式的に示すように鞘管２０を斜め下方まで回転させることも可能である。図１４（ａ）の左図は鋼管杭１１の孔１１１が第１の実施形態と同様水底面以下にある場合の例であり、右図は鋼管杭１１の孔１１１が第２の実施形態と同様水底面より上にある場合の例である。
【００６９】
その他、地盤１００が岩等の場合は、図１４（ｂ）に模式的に示すように、鞘管２０外のケーブル２２を不図示の保護手段で保護するなどして水底面上に配置してもよい。図１４（ｂ）の左図は鋼管杭１１の孔１１１が第１の実施形態と同様水底面以下にある場合の例であり、右図は鋼管杭１１の孔１１１が第２の実施形態と同様水底面より上にある場合の例である。
【００７０】
また、以上の実施形態は、洋上風力発電設備１の例を挙げて説明したが、これに限ることはなく、太陽光発電設備や海流発電設備等その他の発電設備、あるいは発電設備以外のその他の施設の基礎として地盤１００に打設される鋼管杭にケーブル２２を引込むものであってもよい。孔１１１の位置は最大洗掘深さより上であればよく、洗掘の影響がケーブル２２に及ぶのを容易かつ低コストで防止できる。さらに、本発明の適用対象は地盤１００に打設する鋼管杭に限ることもなく、水底に配置する各種の筒状構造物の内部にケーブル２２を引込む場合に適用可能である。
【００７１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７２】
１；洋上風力発電設備
２、２ａ、２ｂ、２ｃ、２ｄ；ケーブル引込構造
１１；鋼管杭
１２；トランジションピース
１３；風力発電設備
２０；鞘管
２１；Ｈ形鋼
２２；ケーブル
３０；ロープ
１００；地盤
１０１；砕石
１０３；フィルタユニット
１０６；アスファルトマット
１１０；ガイド管
１１０ａ；スリット
１１１；孔
１１３；内管
２０６；可とう部
【図１】
0006460894.tif 000002
【図２】
0006460894.tif 000003
【図３】
0006460894.tif 000004
【図４】
0006460894.tif 000005
【図５】
0006460894.tif 000006
【図６】
0006460894.tif 000007
【図７】
0006460894.tif 000008
【図８】
0006460894.tif 000009
【図９】
0006460894.tif 000010
【図１０】
0006460894.tif 000011
【図１１】
0006460894.tif 000012
【図１２】
0006460894.tif 000013
【図１３】
0006460894.tif 000014
【図１４】
0006460894.tif 000015